(57)【要約】【課題】簡単な構造で、記録シートの先端部が押さえ部材に引っかかることなく、確実に記録用紙を載置台に押さえ付ける。【解決手段】記録ヘッド３３の排紙側に近接した位置であって、プラテン３５の上方位置に押さえ部材であるスターローラ５を配置するとともに、このスターローラ５を、プラテン３５上部の上方位置とプラテン３５に近接した下方位置との間を往復移動可能に設ける。そして、記録用紙７がスターローラ５の下部より給紙側にあるときにはスターローラ５を記録用紙７と接触しない上方位置に保持し、スターローラ５の下部に記録用紙７が搬送されてきたときに、スターローラ５をプラテン３５に近接した下方位置に移動させて記録用紙７を押さえる。【選択図】  図３
2004160844.tif 000002
【特許請求の範囲】
【請求項１】
記録用紙を給紙側から印刷位置を経て排紙側へ搬送する搬送手段と、前記印刷位置の上部に配置され、記録用紙が印刷位置にあるときに記録用紙にインクを吐出して印刷を行う記録ヘッドと、印刷時に記録用紙を載置する載置台とを有するインクジェット記録装置において、
前記記録ヘッドの排紙側に近接した位置であって前記の載置台の上方位置に配置されるとともに、この上方位置と前記載置台に近接した下方位置との間を往復移動可能に設けられた押さえ部材と、
記録用紙が前記押さえ部材の下部より給紙側にあるときには前記押さえ部材を記録用紙と接触しない上方位置に保持し、前記押さえ部材の下部に前記記録用紙が搬送されたときに前記押さえ部材を前記載置台に近接した下方位置に移動させて記録用紙を押さえるように制御する制御手段とを備えたことを特徴とするインクジェット記録装置。
【請求項２】
前記押さえ部材は、前記上方位置から下方位置に移動するとき、前記記録用紙の搬送方向とその垂直下方向との間の方向に移動することを特徴とする請求項１に記載のインクジェット記録装置。
【請求項３】
前記押さえ部材は支持軸を中心として前記上方位置と下方位置との間を揺動可能に設けられていることを特徴とする請求項２に記載のインクジェット記録装置。
【請求項４】
前記押さえ部材の揺動を、記録用紙を搬送する搬送駆動源を用いて行うことを特徴とする請求項３に記載のインクジェット記録装置。
【請求項５】
前記押さえ部材より給紙側に配置され、記録用紙を検知する検知手段をさらに備え、
前記制御手段は、前記検知手段が記録用紙の先端の通過を検知してから記録用紙の先端が前記押さえ部材の下部に到達するまでの到達時間を予め算出し、前記検知手段が記録用紙の先端の通過を検知してから前記到達時間が経過したときに、前記押さえ部材を上方位置から下方位置に移動させて記録用紙を押さえることを特徴とする請求項１ないし請求項４のいずれか１項に記載のインクジェット記録装置。
【請求項６】
前記載置台の給紙側に近接して配置され、記録用紙を狭持しながら搬送する搬送部材をさらに備え、
前記制御手段は、前記検知手段が記録用紙の後端の通過を検知してから記録用紙の後端が前記搬送部材から外れる解除時間を予め算出し、前記検知手段が記録用紙の後端の通過を検知してから前記解除が経過したときまたはその直前に、前記押さえ部材を下方位置から上方位置に移動させることを特徴とする請求項５に記載のインクジェット記録装置。
【発明の詳細な説明】
【０００１】
【発明の属する技術分野】
本発明は、インクジェット記録装置に関し、特に記録用紙と記録ヘッドとの接触を防ぐ機構に関する。
【０００２】
【従来の技術】
インクジェット記録装置は、用紙に印字が行われた直後に用紙と記録ヘッドとが接触すると、用紙の印字面がこすれて汚れが生じる。これを防ぐために、例えば図１０に示すように、記録ヘッド８１の前（給紙側であり、図１０では左側）の用紙搬送経路上に搬送ローラ８２とゴムローラ８３とを対向配置し、記録ヘッド８１の直後（排紙側であり、図１０では右側）の用紙搬送経路上にスターローラ８４を配置している。すなわち、搬送されてきた用紙８６を記録ヘッド８１の前で搬送ローラ８２とゴムローラ８３とで挟み込むように押さえ、記録ヘッド８１を通過した用紙８６をスターローラ８４で押さえるように構成された装置が提案されている。
【０００３】
しかし、用紙８６の先端部８６ａに巻き癖がある場合などは、用紙８６の先端部８６ａをスターローラ８４にかみ込ませることが難しく、図１０（ａ）に示すように、用紙８６がスターローラ８４に当たって紙詰まりの原因となったり、図１０（ｂ）に示すように、用紙８６先端部８６ａが撓んで浮き上がり、記録ヘッド８１に接触するといった問題が生じていた。また、図１０（ｃ）に示すように、用紙８６が記録ヘッド８１の下を通過し、用紙８６の後端部８６ｂが搬送ローラ８２から外れたときに、図１０（ｄ）に示すように、用紙８６の後端部８６ｂが浮き上がって記録ヘッド８１に接触してしまうといった問題もあった。
【０００４】
このような問題を解決するために、用紙８６を記録ヘッド８１から遠ざけるために、図１１に示すように、記録ヘッド８１の排紙側でプラテン８５に段差８５ａを設け、用紙搬送経路を下にえぐった構造とした装置も提案されている。
【０００５】
また、用紙が記録ヘッドを通過した時に排紙側に備えられたブレードが用紙の先端部分を押さえ、スターローラにかみ込むまで用紙の搬送と共にブレードが移動して、用紙がスターローラにかみ込むように導く装置も提案されている（例えば、特許文献１参照）。
【０００６】
さらに、スターローラをキャリッジに具備し、記録ヘッドによる印字時には用紙に圧接して用紙の浮きを押さえ、搬送時にはスターローラを上昇させて用紙から離反させた状態で紙を傷つけずに押さえる装置も提案されている（特許文献２参照）。
【０００７】
【特許文献１】
特開平１０−８６４７３号公報
【特許文献２】
特開平１０−８６４６７号公報
【０００８】
【発明が解決しようとする課題】
しかしながら、記録ヘッド８１の排紙側でプラテン８５に段差８５ａを設けた構造においても、図１１（ａ），（ｂ）に示すように、用紙８６の先端部８６ａがスターローラ８４に当たってしまい、また、図１１（ｃ），（ｄ）に示すように、スターローラ８４が下方向へ力を加えると用紙８６が図１０に示した装置を使用したときよりも下へ沈むことから、用紙８６の後端部８６ａ側の浮きがかえって起こりやすくなってしまうといった問題があった。
【０００９】
また、上記特許文献１の装置は、ブレードが用紙先端部を押さえながら印字を行うので、用紙先端部の印字ができず、また、搬送に伴ってブレートを移動させるために、構成が複雑になるといった問題があった。
【００１０】
また、上記特許文献２の装置は、用紙搬送時にスターローラを用紙から離反した上方位置に保持しているが、これでは紙押さえの機能が十分でなく、例えば用紙が上方向に反ってカールしていた場合には、用紙がスターローラに衝突して紙詰まりを起こす可能性があるといった問題があった。
【００１１】
本発明はかかる問題点を解決すべく創案されたもので、その目的は、簡単な構造で、記録シートの先端部が押さえ部材に引っかかることなく、確実に記録用紙を載置台に押さえ付けることのできるインクジェット記録装置を提供することにある。
【００１２】
【課題を解決するための手段】
本発明は、記録用紙を給紙側から印刷位置を経て排紙側へ搬送する搬送手段と、前記印刷位置の上部に配置され、記録用紙が印刷位置にあるときに記録用紙にインクを吐出して印刷を行う記録ヘッドと、印刷時に記録用紙を載置する載置台とを有するインクジェット記録装置が前提となっている。
【００１３】
そして、このようなインクジェット記録装置において、前記記録ヘッドの排紙側に近接した位置であって前記の載置台の上方位置に配置されるとともに、この上方位置と前記載置台に近接した下方位置との間を往復移動可能に設けられた押さえ部材と、記録用紙が前記押さえ部材の下部より給紙側にあるときには前記押さえ部材を記録用紙と接触しない上方位置に保持し、前記押さえ部材の下部に前記記録用紙が搬送されたときに前記押さえ部材を前記載置台に近接した下方位置に移動させて記録用紙を押さえるように制御する制御手段とを備えたことを特徴としている。
【００１４】
このような特徴を有する本発明によれば、記録用紙が給紙側から搬送され、記録ヘッドの下を通過した直後に、記録ヘッドの排紙側に近接した載置台の上方位置に配置された押さえ部材により記録用紙の浮きが押さえられる。
【００１５】
押さえ部材は、支持軸を中心として揺動可能に設けられており、この揺動により、記録用紙と接触しない上方位置と載置台に近接した下方位置との間を往復移動可能となっている。この押さえ部材は、制御手段により、記録用紙が押さえ部材の下部より給紙側にあるときは上方位置に保持され、押さえ部材の下部に記録用紙が搬送されたときに下方位置に移動して保持されることで、記録用紙の浮きを押さえるようになっている。ここで、押さえ部材の下部とは、押さえ部材の揺動範囲を言い、押さえ部材の下部に記録用紙が搬送されたときに押さえ部材が揺動すると記録用紙と接触する。
【００１６】
これにより、簡単な構造で、記録用紙の先端部（搬送方向側の端）が巻き癖などでカールしていても、押さえ部材に引っかかることなく、確実に記録用紙を載置台に押さえ付けることができ、紙詰まりや記録用紙が記録ヘッドに接触して記録用紙を汚すことを防止することができる。また、記録用紙がどの方向に湾曲していても、載置台に押さえ付けることができるため、記録用紙の先端部に印字ができない等の問題も生じない。
【００１７】
また、本発明によれば、前記押さえ部材は、前記上方位置から下方位置に移動するとき、前記記録用紙の搬送方向とその垂直下方向との間の方向に移動することを特徴としている。このように、押さえ部材を記録用紙の搬送方向とその垂直下方向との間の方向へ移動させることにより、記録用紙には下向き及び搬送方向への力が加わる。押さえ部材が記録用紙に上向きや反搬送方向への力を加えた場合には、記録用紙を歪めたり、押さえ部材に引っかかる可能性があるが、本発明では、記録用紙に対して下方向と搬送方向とに力を加えるため、このような不具合は生じない。すなわち、下向きの力は記録用紙を載置台に向かって押さえるように作用し、搬送方向への力は記録用紙を搬送方向に伸ばすように作用するため、より確実に記録用紙を平坦に押さえ込むことができる。
【００１８】
また、本発明によれば、前記押さえ部材は支持軸を中心として前記上方位置と下方位置との間を揺動可能に設けられている。この場合、押さえ部材を上方位置に保持するときに、押さえ部材が支持軸より給紙側に来るように保持し、押さえ部材を記録用紙と支持軸より下で接触するように配置する。これにより、押さえ部材を上方位置から下方位置に移動させるときに、押さえ部材が記録用紙の搬送方向とその垂直下方向との間の方向へ移動することになる。よって、押さえ部材が記録用紙と接触するとき、記録用紙には下向き及び搬送方向の力が加わり、下向きの力は記録用紙を押さえるように作用し、搬送方向への力は記録用紙を搬送方向に伸ばすように作用するため、より確実に記録シートを平坦に押さえ込むことができる。
【００１９】
また、本発明によれば、前記押さえ部材の揺動を、記録用紙を搬送する搬送駆動源を用いて行うことを特徴としている。このように、押さえ部材の揺動を搬送駆動源により行うことで、簡単な機構で記録用紙を載置台に押さえ付けることができ、紙詰まりや記録用紙が記録ヘッドに接触して記録用紙を汚すことが防止される。
【００２０】
また、本発明によれば、前記押さえ部材より給紙側に配置された記録用紙を検知する検知手段をさらに備え、前記制御手段は、前記検知手段が記録用紙の先端の通過を検知してから記録用紙の先端が前記押さえ部材の下部に到達するまでの到達時間を予め算出し、前記検知手段が記録用紙の先端の通過を検知してから前記到達時間が経過したときに、前記押さえ部材を上方位置から下方位置に移動させて記録用紙を押さえることを特徴としている。
【００２１】
すなわち、押さえ部材より給紙側に配置された検知手段が記録用紙の先端の通過を検知してから、記録用紙が押さえ部材の下部に到達するまでの時間（到達時間）を算出することで、押さえ部材を上方位置から下方位置に揺動移動させるタイミングを決定する。このように、検知手段により押さえ部材の揺動のタイミングを計ることで、記録ヘッド通過後すぐに記録用紙の先端部分を確実に押さえることができる。
【００２２】
また、本発明によれば、前記載置台の給紙側に近接して配置された記録用紙を狭持しながら搬送する搬送部材をさらに備え、前記制御手段は、前記検知手段が記録用紙の後端の通過を検知してから記録用紙の後端が前記搬送部材から外れる解除時間を予め算出し、前記検知手段が記録用紙の後端の通過を検知してから前記解除が経過したときまたはその直前に、前記押さえ部材を下方位置から上方位置に移動させることを特徴としている。
【００２３】
記録用紙を狭持しながら搬送する搬送部材が載置台の給紙側に近接して配置されている場合、先端が記録ヘッドを通過した記録用紙は、その先端を押さえ部材により下方向に押さえられた状態で、後端部側を搬送部材によって狭持されながら搬送される。この後、記録用紙の後端が搬送部材から外れると、記録用紙の先端側だけが押さえ部材によって下方向に押さえられ、搬送部材から外れた後端側が上方向に浮いて、記録ヘッドに接触してしまう。
【００２４】
特に、図１１に示すように、載置台８５に段差８５ａが設けられて下方向にえぐれた形状をしている場合には、記録用紙の先端側が下方向に沈み、記録用紙の後端側がより浮き上がりやすくなって、記録ヘッドに接触しやすくなる。
【００２５】
そこで、検知手段が記録用紙の後端の通過を検知し、記録用紙の後端が搬送部材から外れる時間を算出して、その時間の経過時またはその経過直前に押さえ部材を上方位置に移動させることで、記録用紙の先端側だけが下方向に押さえられるという状態が解消される。これにより、記録用紙の後端部分の浮き及び記録ヘッドへの接触を防ぐことができる。
【００２６】
【発明の実施の形態】
以下、本発明の実施の形態について、図面を参照して説明する。
【００２７】
図１は、本発明に係わるインクジェット記録装置の基本構成を示す側面より見た概略断面図である。
【００２８】
このインクジェット記録装置は、記録用紙７上にインクを吐出することで印刷を行う装置であり、記録用紙７を搬送経路に給紙する給紙部１と、給紙された記録用紙７を搬送する搬送部２と、搬送部２により搬送されている記録用紙７に印刷を行う印刷部３と、印刷された記録用紙７を排出する排出部４とで構成されている。
【００２９】
給紙部１は、給紙トレイ１１、分離板１２、給紙ローラ１３を有している。給紙トレイ１１は、記録用紙７を複数枚重ねて載置する。分離板１２及び給紙ローラ１３は、給紙トレイ１１に収容された複数枚の記録用紙７を１枚ずつ分離して搬送部３に供給するものである。
【００３０】
搬送部２は、ガイド板２１、搬送ローラ２２を有している。ガイド板２１は、給紙部１から給紙されてきた記録用紙７を印刷部３に導く。搬送ローラ２２は、ガイド板２１上を通過した記録用紙７を印刷部３まで搬送するものである。
【００３１】
印刷部３は、キャリッジ３１、インクカートリッジ３２（図２参照）、記録ヘッド３３、シャフト３４（図２参照）、プラテン３５を有している。
【００３２】
図２は、キャリッジ３１部分の斜視図である。
【００３３】
キャリッジ３１は、記録ヘッド３３とインクカートリッジ３２とを搭載し、シャフト３４に沿って移動可能となっている。インクカートリッジ３２は、キャリッジ３１上に載置固定された、黒色インクカートリッジ３２ａと、Ｙ，Ｍ，Ｃ各色の３つのカートリッジからなるカラーインクカートリッジ３２ｂとからなる。インクカートリッジ３２は、黒（ＢＫ）、イエロー（Ｙ）、マゼンタ（Ｍ）、シアン（Ｃ）の各色インクを蓄積するとともに、記録ヘッド３３にインクを供給する。
【００３４】
記録ヘッド３３は、各インクカートリッジ３２ａ，３２ｂの下部に取り付けられ、各インクカートリッジ３２ａ，３２ｂから供給されたインクを吐出口（図示省略）から吐出して、記録用紙７に画像を形成するものである。
【００３５】
シャフト３４は、キャリッジ３１を主走査方向に沿って移動できるように案内するためのガイドである。ここで、主走査方向とは、記録用紙７の搬送方向と直交する方向のことである。
【００３６】
プラテン（載置台）３５は、図１に示すように、印刷（インク吐出）の際、記録用紙７を載置するための台となるものであり、記録用紙７における平坦性の維持、及び吐出口と記録用紙７との距離調整を行うためのものである。
【００３７】
排出部４は、排出ローラ４１、排出トレイ４２を有しており、排出ローラ４１は、記録ヘッド３３で印刷された記録用紙７を排出トレイ４２に排出し、排出トレイ４２は印刷された記録用紙７を収容する。
【００３８】
次に、上記構成のインクジェット記録装置の印刷動作について説明する。
【００３９】
ユーザは、記録用紙７を記録装置の給紙トレイ１１上に載置し、パソコン等のドライバから印刷要求を送信する。本記録装置がドライバからの印刷要求を受信すると、分離板１２と給紙ローラ１３とが給紙トレイ１１上の記録用紙７を１枚ずつ分離し、搬送部２に給紙する。給紙された記録用紙７は、ガイド板２１に支えられながら搬送ローラ２２によって搬送される。
【００４０】
次に、記録ヘッド３３が、搬送されてきた記録用紙７に対してインクを吐出して印刷を行う。この印刷は、記録ヘッド３３を備えたキャリッジ３１を、シャフト３４に沿って主走査方向に移動させることで行う。
【００４１】
すなわち、印刷の際、キャリッジ３１は、主走査方向における一方の端部（シャフト３４の端部）に設けられたスタート位置（図示省略）に配置される。そして、印刷要求に応じて、他方の端部に設けられた停止位置（図示省略）まで、主走査方向に沿って移動されるようになっている。
【００４２】
そして、この移動の際、記録ヘッド３３が、印刷要求に応じて記録用紙７に対してインクを吐出する。これにより、記録ヘッド３３によって１ライン分の画像（ライン画像）が印刷されるようになっている。このときのインクが吐出される位置を印刷位置とする。なお、ライン画像の幅は、インクヘッドの縦幅（用紙搬送方向での幅）に相当する。
【００４３】
また、１つのライン画像が印刷された後、搬送ローラ２２は、プラテン３５上の記録用紙７を、ライン画像の幅分だけ搬送させる。また、この搬送の間に、インクキャリッジ３１は、スタート位置に復帰する。
【００４４】
以上が、１ライン画像の印刷走査である。
【００４５】
本記録装置では、このような印刷走査を繰り返し行うことで、印刷要求に応じた情報を記録用紙７に印刷するようになっている。
【００４６】
最後に、印刷された紙は、排出ローラ４１により排出トレイ４２に排出され、ユーザにドキュメント（印刷物）として提供される。
【００４７】
次に、本発明の特徴である紙押さえ機構部分について説明する。
【００４８】
［実施例１］
図３は、本発明に係わる紙押さえ機構の実施例１の構成を示しており、印刷部３の前後を図示したものである。ただし、図３に示す記録用紙７の搬送方向と、図１に示す記録用紙７の搬送方向とは逆方向となっている。
【００４９】
本実施例１の紙押さえ機構は、プラテン３５上において、記録ヘッド３３の給紙側（図中、左側）に搬送ローラ２２が配置され、記録ヘッド３３の排紙側（図中、右側）に押さえ部材であるスターローラ５と排出ローラ４１とがこの順番で配置された構成となっている。また、搬送ローラ２２のさらに給紙側には、記録用紙７の端部を検出する用紙検知スイッチ１０が配置されている。
【００５０】
スターローラ５は、自転可能な状態で支持板５１に保持されており、支持板５１は、記録ヘッド３３の排紙側のプラテン３５上部に配置された支持軸５２に支持された状態で、この支持軸５２を中心として揺動可能に設けられている。支持軸５２には図示しないモータが取り付けられており、このモータの駆動制御によって支持軸５２を回転駆動し、支持板５１を揺動させてスターローラ５を上下に揺動させるようになっている。また、用紙検知スイッチ１０の信号を利用してスターローラ５の上下駆動のタイミングを作り出しているが、これについては後述する。
【００５１】
スターローラ５は、通常は図３（ａ）に示すように、記録ヘッド３３の印字面より上の記録用紙７に触れない位置に保持されている。そして、記録用紙７が記録ヘッド３３により印刷されて、記録ヘッド３３の排紙側に搬送されると、これに同期して、支持板５１が支持軸５２を中心として矢印Ａ方向に揺動する。これにより、スターローラ５がＡ方向に移動し、図３（ｂ）に示すように、記録用紙７の先端部７ａに対して下方向と搬送方向との間のＢ方向に力を加え、巻き癖などによる記録用紙７の先端部７ａの浮きを押さえる。
【００５２】
スターローラ５の動作をより詳しく説明すると、図５に示すように、支持軸５２を中心に支持板５１が下方向へ揺動し、スターローラ５が記録用紙７の先端部７ａに接触する。そして、スターローラ５は排紙側に支持軸５２を持つことから、矢印Ｄのように、初めに下方向へ動き、その後下方向と排紙方向との間の方向へ動いて、これらの方向の力を記録用紙７の先端部７ａに加える。このとき、下方向への力が記録用紙７をプラテン３５側に押さえる働きをし、排紙方向への力が記録用紙７を平坦に伸ばす働きをする。平坦に伸ばされた記録用紙７は、プラテン３５付近で保持されて、搬送が続けられる。
【００５３】
この状態で、図３（ｃ）に示すように、記録用紙７が印刷及び搬送され、図３（ｄ）に示すように、記録用紙７の後端部７ｂが記録ヘッド３３を通過し終わると、これに同期して支持板５１が支持軸５２を中心として矢印Ｃ方向に揺動し、スターローラ５が上方向に移動する。
【００５４】
これにより、簡単な構造で、記録用紙７の先端部（搬送方向側の端）７ａが巻き癖などでカールしていても、スターローラ５に引っかかることなく、確実に記録用紙７をプラテン３５に押さえ付け、記録用紙７が記録ヘッド３３に接触しないようにして記録ヘッド３３とプラテン３５との間を搬送することができる。したがって、紙詰まりや記録用紙７が記録ヘッド３３に接触して記録用紙７を汚すことを防止することができる。
【００５５】
ここで、スターローラ５の揺動下降のタイミングについて説明する。
【００５６】
記録用紙７の先端部７ａが記録ヘッド３３の排紙側に搬送されたとき、スターローラ５を下方向へ揺動するのであるが、そのタイミングは、図３に示される記録ヘッド３３の給紙側の搬送路に備えられた用紙検知スイッチ１０を利用して算出することができる。つまり、用紙検知スイッチ１０により、記録用紙７の先端が用紙検知スイッチ１０の下を通過したことを認識し、そのときの用紙搬送速度と、用紙検知スイッチ１０から記録ヘッド３３までの距離とから、記録用紙７の先端が記録ヘッド３３の排紙側に搬送され、スターローラ５の下部に到達するの時間（到達時間）を算出する。
【００５７】
このようにして、用紙検知スイッチ１０を利用してスターローラ５の揺動のタイミングを計ることにより、記録ヘッド３３通過後すぐに記録用紙７の先端部７ａを確実に押さえることができる。
【００５８】
また、スターローラ５の揺動の上昇のタイミングは、記録用紙７の後端部７ｂが記録ヘッド３３を通過し終わるときであるが、このタイミングも上記揺動下降のタイミングと同様に、用紙検知スイッチ１０を利用して算出することができる。
【００５９】
ところで、図６（ａ）に示すように、スターローラ５の配置された記録ヘッド３３の排紙側におけるプラテン３５ａの高さが、記録ヘッド３３の下部におけるプラテン３５の高さよりも低い場合、図６（ｂ）に示すように、スターローラ５を下降すると、記録用紙７の先端部７ａが通常よりも下に押されることになる。従って、記録用紙７の後端部７ｂ側が搬送ローラ２２により狭持されているときは記録用紙７が浮かずに搬送されるが、記録用紙７の後端部７ｂが記録ヘッド３３を通過し終わるときにスターローラ５を上昇させなければ、記録用紙７の後端部７ｂ側が搬送ローラ２２から外れたとき、後端部７ｂが浮き上がってしまい、記録ヘッド３３に接触することになる。そのため、この場合には、図６（ｃ）に示すように、記録用紙７の後端部７ｂが搬送ローラ２２から離れる直前、または離れるときに、図６（ｄ）に示すように、スターローラ５をＥ方向に上昇させれば良い。
【００６０】
これにより、記録用紙７の先端部７ａだけが下方向に押さえられるという状態を解消でき、記録用紙７の後端部７ｂの浮き及び記録ヘッド３３への接触を防ぐことができる。
【００６１】
［実施例２］
図４は、本発明に係わる紙押さえ機構の実施例２の構成を示しており、印刷部３の前後を図示したものである。ただし、図４に示す記録用紙７の搬送方向と、図１に示す記録用紙７の搬送方向とは逆方向となっている。
【００６２】
上記実施例１の紙押さえ機構では、排出ローラ４１と記録ヘッド３３との間に押さえ部材としてのスターローラ５を設けているが、本実施例２では、排出ローラ４１に対向して配置されているゴムローラの代わりに、押さえ部材としてのスターローラ６を配置して利用するものである。本実施例２の紙押さえ機構は、本体自体の用紙搬送距離が短い場合に有効である。
【００６３】
本実施例２のスターローラ６も、上記実施例１のスターローラ５と同様の構成となっている。すなわち、スターローラ６は、自転可能な状態で支持板６１に保持されており、支持板６１は、記録ヘッド３３の排紙側のプラテン３５上部に配置された支持軸６２に支持された状態で、この支持軸６２を中心として揺動可能に設けられている。支持軸６２には図示しないモータが取り付けられており、このモータの駆動制御によって支持軸６２を回転駆動し、支持板６１を揺動させてスターローラ６を上下に揺動させるようになっている。
【００６４】
この場合、スターローラ６の動作は、排出ローラ４１に対して垂直に移動するのではなく、図３で説明した如く、垂直下方向と用紙搬送方向との間の方向に移動させることによって、上記実施例１と同様、下方向への力が記録用紙７をプラテン３５側に押さえる働きをし、排紙方向への力が記録用紙７を平坦に伸ばす働きをする。平坦に伸ばされた記録用紙７は、プラテン３５付近で保持されて、搬送が続けられる。
【００６５】
なお、このようなスターローラ５，６の揺動の駆動源として搬送駆動源を用いてもよい。
【００６６】
以下に、搬送駆動源を用いてスターローラ５，６を揺動する方法について説明する。ここでは、実施例１のスターローラ５について説明するが、実施例２のスターローラ６も同様である。
【００６７】
図７は、スターローラ５と支持板５１との構成を示す斜視図である。
【００６８】
支持板５１の一方の側縁部に複数のスターローラ５，５・・・がそれぞれ自転可能に保持されており、この支持板５１が、支持板５１の側縁部と平行に設けられた支持軸５２を中心として揺動可能に支持されている。そして、この支持軸５２に、支持板５１を傾ける（  揺動させる）  ギアＨが連結されており、このギアＨの回転とその方向とを制御することで、スターローラ５の揺動と揺動方向とを制御することができる。
【００６９】
次に、搬送駆動源を用いてギアＨの回転及び回転方向を制御する方法について説明する。
【００７０】
図８は、上記ギアＨ及び用紙搬送に用いられるギアの側面図である。
【００７１】
記録用紙７を排紙方向に送るギアとしては、記録ヘッド３３の前後に排紙方向（右方向）に回転して搬送ローラ２２または排出ローラ４１（ただし、図８には図示されていない）を駆動するものが必要であり、本実施の形態では、ギアＡ〜ギアＦの６つのギアを用いている。また、ギアＨをギアＥまたはギアＦのいずれかに連係させるためのギアＧを追加している。
【００７２】
まず、記録ヘッド３３の下部に配置されている記録用紙送り用モータギアＣを右回転させる。そして、その上側に、ギアＣに連係するギアＢを配置し、反排紙方向に回転（左回転）させる。ギアＢは給紙側でギアＡと、排紙側でギアＤと連係しており、ギアＡ，Ｄを共に右回転させる。ギアＡは、記録ヘッド３３の下部に記録用紙７を給紙するためのフィードローラを駆動する。ギアＤは、ギアＢと反対側（排紙側）でギアＥと連係しており、ギアＥを左回転させる。ギアＥは、さらにその排紙側でギアＦと連係しており、ギアＦを右回転させる。ギアＧは、揺動操作によりギアＥまたはギアＦのどちらかと接続するクラッチ部であり、右及び左のいずれの方向にも回転可能であるが、通常時はその中間地点で停止している。従って、このギアＧをギアＥまたはギアＦのどちらかに接続させて、その回転方向を制御することにより、その上部に連接されているギアＨを右回転または左回転させることができる。
【００７３】
次にクラッチ部分を説明する。図９はギアＧ、ギアＥ、ギアＦを上部から見た図である。
【００７４】
上記したように、ギアＥ及びギアＦは連係されて互いに逆方向に回転している。ギアＦ′はギアＦと同軸上にギアＦと離間して設置され、ギアＧはギアＦ′とギアＦとの間の上部に設置される。ギアＧは揺動操作（図９では上下動作）によりギアＥまたはギアＦ′のどちらか１つと接触するように移動させることができる。つまり、ギアＥとギアＦ′が離間して逆方向に回転しており、ギアＧがギアＥと接触する位置とギアＦ′と接触する位置との間を移動する。そして、ギアＧは、ギアＥと接触することで右回転するか、ギアＦ′と接触することで左回転するか、どちらとも接触しないで回転しないか、の３つの状態に制御することができる。この機構により、搬送駆動源を用いてギアＨの回転と回転方向とを制御することができる。
【００７５】
以上のように、スターローラ５，６の揺動を搬送駆動源により行うことで、簡単な機構で記録用紙７をプラテン３５に押さえ付けることができ、紙詰まりや記録用紙７が記録ヘッド３３に接触して記録用紙７を汚すことが防止される。
【００７６】
【発明の効果】
本発明によれば、記録ヘッドの排紙側に近接した位置であっての載置台の上方位置に押さえ部材を配置し、この押さえ部材を上方位置と載置台に近接した下方位置との間を往復移動可能に設け、記録用紙が押さえ部材の下部より給紙側にあるときには押さえ部材を記録用紙と接触しない上方位置に保持し、押さえ部材の下部に記録用紙が搬送されたときに押さえ部材を載置台に近接した下方位置に移動させて記録用紙を押さえる構成としたので、記録用紙が給紙側から搬送され、記録ヘッドの下を通過した直後に、押さえ部材によって記録用紙の浮きが押さえられる。これにより、記録用紙の先端部（搬送方向側の端）が巻き癖などでカールしていても、押さえ部材に引っかかることなく、確実に記録用紙を載置台に押さえ付けることができ、紙詰まりや記録用紙が記録ヘッドに接触して記録用紙を汚すことが防止される。また、記録用紙がどの方向に湾曲していても、載置台に押さえ付けることができるため、記録用紙の先端部に印字ができない等の問題も生じない。
【００７７】
また、本発明によれば、押さえ部材は、上方位置から下方位置に移動するとき、記録用紙の搬送方向とその垂直下方向との間の方向に移動するように構成したので、下向きの力は記録用紙を載置台に向かって押さえるように作用し、搬送方向への力は記録用紙を搬送方向に伸ばすように作用するため、より確実に記録用紙を平坦に押さえ込むことができる。
【００７８】
また、本発明によれば、押さえ部材の揺動を、記録用紙を搬送する搬送駆動源を用いて行う構成としたので、簡単な機構で記録用紙を載置台に押さえ付けることができ、紙詰まりや記録用紙が記録ヘッドに接触して記録用紙を汚すことが防止される。
【００７９】
また、本発明によれば、押さえ部材より給紙側に配置された検知手段が記録用紙の先端の通過を検知してから、記録用紙が押さえ部材の下部に到達するまでの時間を算出することで、押さえ部材を上方位置から下方位置に揺動移動させるタイミングを決定する構成としたので、記録ヘッド通過後すぐに記録用紙の先端部分を確実に押さえることができる。
【００８０】
また、本発明によれば、検知手段が記録用紙の後端の通過を検知し、記録用紙の後端が搬送部材から外れる時間を算出して、その時間の経過時またはその経過直前に押さえ部材を上方位置に移動させる構成としたので、記録用紙の先端側だけが下方向に押さえられるという状態が解消され、記録用紙の後端部分の浮き及び記録ヘッドへの接触を防ぐことができる。
【図面の簡単な説明】
【図１】本発明に係わるインクジェット記録装置の基本構成を示す側面より見た概略断面図である。
【図２】キャリッジ部分の斜視図である。
【図３】本発明に係わる紙押さえ機構の実施例１の構成及び動作を示しており、印刷部の前後を概略的に示した側面図である。
【図４】本発明に係わる紙押さえ機構の実施例２の構成及び動作を示しており、印刷部の前後を概略的に示した側面図である。
【図５】スターローラの動作をより詳しく説明するための説明図である。
【図６】実施例１の紙押さえ機構の他の動作例を示しており、印刷部の前後を概略的に示した側面図である。
【図７】スターローラと支持板との構成を示す斜視図である。
【図８】本発明に係わるギア及び用紙搬送に用いられるギアの側面図である。
【図９】ギアＧ、ギアＥ、ギアＦを上部から見た概略図である。
【図１０】従来の紙押さえ機構の一構成例及び動作例を示しており、印刷部の前後を概略的に示した側面図である。
【図１１】従来の紙押さえ機構の他の構成例及び動作例を示しており、印刷部の前後を概略的に示した側面図である。
【符号の説明】
１  給紙部
１１  給紙トレイ
１２  分離板
１３  給紙ローラ
２  搬送部
２１  ガイド板
２２  搬送ローラ
３  印刷部
３１  キャリッジ
３２  インクカートリッジ
３３  記録ヘッド
３４  シャフト
３５  プラテン
４  排出部
４１  排出ローラ
４２  排出トレイ
５，６  スターローラ（押さえ部材）
５１，６１  支持板
５２，６２  支持軸
７  記録用紙
７ａ  先端部
７ｂ  後端部
１０  用紙検知スイッチ
【図１】
2004160844.tif 000003
【図２】
2004160844.tif 000004
【図３】
2004160844.tif 000005
【図４】
2004160844.tif 000006
【図５】
2004160844.tif 000007
【図６】
2004160844.tif 000008
【図７】
2004160844.tif 000009
【図８】
2004160844.tif 000010
【図９】
2004160844.tif 000011
【図１０】
2004160844.tif 000012
【図１１】
2004160844.tif 000013